(57)【要約】 【課題】            従来、測定装置及び発生器のリード線は、一端側に一対の接続端子を有するリード線本体の他端側に、同じく、一対の接続端子を設けた１対１型リード線が使用されていた。  そのため、１台の発生器で複数の変換器等の校正を行うには、個々の変換器等に対して何度も接続端子を付け替える必要があり、また、一個所の測定個所の検出値を同時に複数の測定器で直接的に測定することができない課題があった。【解決手段】         一端側１に一対の接続端子２を有するリード線本体１０の他端側３に複数対の接続端子４を設けてなる一個所測定用多対型リード線。【選択図】           図３
2007132675.tif 000002
【特許請求の範囲】
【請求項１】
一端側に一対の接続端子を有するリード線本体の他端側に複数対の接続端子を設けてなる一個所測定用多対型リード線。
【請求項２】
請求項１に記載の多対型リード線において、一端側に一対のバナナクリップ型の接続端子を有すると共に他端側に複数対のバナナクリップ型又は鰐口型の接続端子を設けてなる一個所測定用多対型リード線。
【請求項３】
請求項１又は２に記載の一個所測定用多対型リード線において、一対側を発生器に接続し、複数対側を測定装置の変換器に接続してなる一個所測定用多対型リード線。
【請求項４】
請求項３に記載の一個所測定用多対型リード線において、発生器が熱電対等の電圧発生器からなる一個所測定用多対型リード線。
【発明の詳細な説明】
【技術分野】
【０００１】
本発明は、一個所測定用多対型リード線に関する。 
【背景技術】
【０００２】
従来、例えば、測定装置及び発生器に付属しているリード線は、図４に記載のように、一端側２１に一対の接続端子２２を有するリード線本体２０の他端側２３には、同じく、一対の接続端子２４を設けた１対１型リード線が使用されていた。
【発明の開示】
【発明が解決しようとする課題】
【０００３】
従来の１対１型リード線では、１対１の機器の接続しかできないため、例えば、図５に記載のように、１台の発生器５で複数の変換器７の校正を行うには、個々の測定器６の変換器７に対して、リード線本体２０の変換器側の接続端子２３の接続を、何度も変えて行う必要があり、時間と労力を要するばかりでなく、接続誤差、接続ミスや接続不良の発生する確率が多くなる課題があった。
また、従来の１対１型リード線では、１対１の機器の接続しかできないため、一個所の測定個所の検出値を同時に複数の測定器で直接的に測定することができない課題があった。
【課題を解決するための手段】
【０００４】
そこで、本発明は、一端側に一対の接続端子を有するリード線本体の他端側に複数対の接続端子を設けてなる一個所測定用多対型リード線を提供しようとするものである。
【０００５】
また、本発明は、請求項２に記載のように、請求項１に記載の多対型リード線において、一端側に一対のバナナクリップ型の接続端子を有すると共に他端側に複数対のバナナクリップ型又は鰐口型の接続端子を設けてなる一個所測定用多対型リード線を提供しようとするものである。
【０００６】
また、本発明は、請求項３に記載のように、請求項１又は２に記載の一個所測定用多対型リード線において、一端側を発生器に接続し、他端側を測定装置の変換器に接続してなる一個所測定用多対型リード線を提供しようとするものである。
【０００７】
また、本発明は、請求項４に記載のように、請求項３に記載の一個所測定用多対型リード線において、発生器が熱電対等の電圧発生器からなる一個所測定用多対型リード線を提供しようとするものである。
【発明の効果】
【０００８】
本発明に係る一個所測定用多対型リード線によれば、一端側に一対の接続端子を有するリード線本体の他端側に複数対の接続端子を設けてなる構成を有することにより、例えば、１台の発生器で複数の変換器等の校正を行う場合、リード線本体の一端側の一対の接続端子を発生器に接続して、他端側の複数対の接続端子をそれぞれ複数の変換器等に接続して、同時に正確に変換器等の校正を行うことができる効果がある一方、測定時においては、一個所の測定個所の検出値を同時に複数の測定器で直接的に確実に測定することができるから、複数個所に接続することから生じる接続誤差、接続ミスや接続不良の発生する確率を小さくし、測定精度を高める効果がある。
【０００９】
また、本発明は、請求項２に記載のように、請求項１に記載の多対型リード線において、一端側に一対のバナナクリップ型の接続端子を有すると共に他端側に複数対のバナナクリップ型又は鰐口型の接続端子を設けてなる構成を有するから、接続端子を発生器側や測定器側に着脱自在に装着して使用することができる効果がある。
【００１０】
また、本発明は、請求項３に記載のように、請求項１又は２に記載の一個所測定用多対型リード線において、一端側を発生器に接続し、他端側を測定装置の変換器に接続してなる構成を有する一個所測定用多対型リード線を提供することができる効果がある。
【００１１】
また、本発明は、請求項４に記載のように、請求項３に記載の一個所測定用多対型リード線において、発生器が熱電対等の電圧発生器からなる構成を有することにより、一個所の熱源等の発生源に一対の熱電対等の電圧発生器を接続してその一個所の検出値を複数の測定器で使用することができるから、同一の電圧等からなる温度情報に基づいて複数個所で正確な電圧等からなる温度情報分析を行うことができる効果がある。
【発明を実施するための最良の形態】
【００１２】
本発明に係る一個所測定用多対型リード線によれば、図３に記載のように、一端側１に一対の接続端子２を有するリード線本体１０の他端側３に複数対の接続端子４を設けてなる構成を有する。
【実施例１】
【００１３】
このことにより、例えば、図１に記載のように、１台の発生器５によって複数の変換器７の校正を行う場合、リード線本体１０の一端側１の一対の接続端子２を発生器５に接続して、他端側３の複数対の接続端子４をそれぞれ複数の測定器６の変換器７に接続することによって、同時に正確に各変換器７の校正を行うことができる。８は測定器６と変換器７とを接続する接続線である。
【実施例２】
【００１４】
また、測定時においては、図２に記載のように、リード線本体１０の一端側１に設けた熱電対９を一個所の測定個所に設置し、他端側３の複数対の接続端子を複数の測定器の変換器７に個々に接続し、熱電対９の検出値を同時に複数の測定器６で直接的に確実に測定することができ、複数個所に接続することから生じる接続誤差、接続ミスや接続不良の発生する確率を小さくし、測定精度を高めることができる。
【実施例３】
【００１５】
また、本発明の多対型リード線において、図では省略したが、一端側１に一対のバナナクリップ型の接続端子を設けると共に、他端側３に複数対のバナナクリップ型又は鰐口型の接続端子を設けてなる構成にすることができ、これら挟持式の接続端子を発生器側や測定器側の端子を挟持することにより、容易且つ迅速に着脱自在に装着して使用することができる。
【図面の簡単な説明】
【００１６】
【図１】本発明多対型リード線の一実施例の概略説明図。
【図２】本発明多対型リード線の他の実施例の概略説明図。
【図３】本発明多対型リード線の他の実施例の概略説明図。
【図４】従来の１対１型リード線の一実施例の概略説明図。
【図５】その他の実施例の概略説明図。
【符号の説明】
【００１７】
１      リード線の一端側 
２      リード線の一端側端子 
３      リード線の他端側 
４      リード線の他端側端子 
５      発生器 
６      測定器 
７      変換器 
８      接続線 
１０    リード線本体  
【図１】
2007132675.tif 000003
【図２】
2007132675.tif 000004
【図３】
2007132675.tif 000005
【図４】
2007132675.tif 000006
【図５】
2007132675.tif 000007